(57)【要約】      （修正有）【課題】収納物が多くなってもジッパーの開閉操作が容易で、必要時に収納物を即座に取り出すことが可能な手帳カバーを提供する。【解決手段】表面部１と、裏面部２と、バインダー部４が設置されていて表面部１及び裏面部２を連結する背部３とを備え、背部３と反対側の側辺と底辺にのみジッパー封止部６、７を有し、上辺は常時開放されている。表面部１及び裏面部２の縦横比は、１：１又はそれに近い比である。【選択図】図２
0003218132.tif 000002
【実用新案登録請求の範囲】
【請求項１】
表面部と、裏面部と、バインダー部が設置されていて前記表面部及び裏面部を連結する背部とを備え、前記背部と反対側の側辺と底辺にのみジッパー封止部を有し、上辺は常時開放されていることを特徴とする手帳カバー。
【請求項２】
前記表面部及び裏面部の縦横比は、１：１又はそれに近い比である、請求項１に記載の手帳カバー。
【請求項３】
前記表面部及び／又は裏面部の内側面にカード差し込み部が設けられている、請求項１又は２に記載の手帳カバー。
【請求項４】
前記側辺のジッパー封止部付近に筆記具保持手段が配置されている、請求項１乃至３のいずれかに記載の手帳カバー。
【考案の詳細な説明】
【技術分野】
【０００１】
本考案は手帳カバー、より詳細には、システム手帳、即ち、バインダーの仕組みを持ち、リフィルと呼ばれる用紙部分を交換可能にしたシステム手帳のカバーに関するものである。
【背景技術】
【０００２】
一般的な手帳カバーは、表面部及び裏面部と、リフィルを保持するための複数のリングで構成されるバインダー部が設置されていて、表面部と裏面部とを連結する背部とから成り、閉じたときに開かないようにするために、ジッパー又はベルトが備え付けられる。ジッパーによる場合は、背部以外の各辺が封止されることになる（実用新案登録第３０２２４１０号公報、実用新案登録第３０２２９０４号公報）。また、手帳のサイズは、バイブルサイズと称される縦長のものが一般的で、リフィルは６穴のものが主流である。
【先行技術文献】
【特許文献】
【０００３】
【特許文献１】実用新案登録第３０２２４１０号公報
【特許文献２】実用新案登録第３０２２９０４号公報
【考案の概要】
【考案が解決しようとする課題】
【０００４】
上記ジッパーによって３辺を封止するタイプの場合、筆記具、名刺、薬や絆創膏等の日用品、菓子等の小物を収納して持ち歩くことが少なくないが、収納物が多くなればなる程ジッパーの開閉が容易ではなくなり、また、少なくとも上辺を開けないと収納物を取り出すことができないので、迅速な取り出しに支障をきたす。また、現時点で収納可能な容量を保持しつつも極力小さいサイズの手帳が求められている。
【０００５】
本考案は上記事情に鑑みてなされたもので、収納物が多くなってもジッパーの開閉操作が容易で、必要時に収納物を即座に取り出すことが可能な手帳カバーを提供することを課題とする。
【課題を解決するための手段】
【０００６】
上記課題を解決するための請求項１に記載の考案は、表面部と、裏面部と、バインダー部が設置されていて前記表面部及び裏面部を連結する背部とを備え、前記背部と反対側の側辺と底辺にのみジッパー封止部を有し、上辺は常時開放されていることを特徴とする手帳カバーである。
【０００７】
一実施形態においては、前記表面部及び裏面部の縦横比は、１：１又はそれに近い比である。また、一実施形態においては、前記表面部及び／又は裏面部の内側面にカード挿入部が設けられ、また、前記側辺のジッパー封止部付近に筆記具保持部が設けられる。
【考案の効果】
【０００８】
本考案に係る手帳カバーは上記構成であって、背部と反対側の側辺と底辺にのみジッパー封止部を有していて、上辺は常時開放されているので、収納物が多くなっても、上辺を閉める必要がないため無理が利き、ジッパーの開閉操作も容易となり、また、上辺は常時開放されているので、必要時に収納物を即座に取り出すことが可能となる効果がある。また、上辺を常時開放することで、上辺のジッパー収容部を設ける必要がなくなるため、サイズ（特に縦方向の長さ）を小さくでき、且つ、収納容量が従来のものと同じ手帳を提供することができるという効果もある。
【図面の簡単な説明】
【０００９】
【図１】本考案に係る手帳カバーの一実施形態を示す正面図である。
【図２】本考案に係る手帳カバーの一実施形態を示す斜視図である。
【図３】本考案に係る手帳カバーの一実施形態の全体開放状態を示す図である。
【考案を実施するための形態】
【００１０】
本考案を実施するための形態について、添付図面に依拠して説明する。図１は、本考案の一実施形態を示す正面図、図２はその斜視図、図３はその全体開放状態を示す図であり、それらに示されるように、本考案に係る手帳カバーは、一般の手帳カバーと同様に、表面部１と、裏面部２と、表面部１と裏面部２を連結する背部３とが一連になって構成される。そして、背部３の内側に、複数のリング状綴具５から成るバインダー部４が備え付けられる。
【００１１】
本考案に係る手帳カバーは、表面部１と裏面部２を閉じるためのジッパー封止部が、背部３と反対側の側辺（側部封止部６）と底辺（底部封止部７）にのみ配置され、上辺は常時開放状態となっていることを特徴とする。即ち、一般のジッパー封止タイプの手帳カバーの場合のジッパー封止部はコの字型となるのに対し、本考案に係る手帳カバーの場合のジッパー封止部は、Ｌ字型となっているのである。
【００１２】
表面部１及び裏面部２の縦横比は任意であるが、１：１、即ち、正方形又はそれに近い比率とすることができる。その場合、リフィル８はほぼ長方形に規格化されているので、側部封止部６付近にスペース的に余裕ができ、そこに筆記具９その他の小物を収納しやすくなる。また、表面部１及び／又は裏面部２に、適宜カード差し込み部１０や筆記具受け輪１１等を設けることができる。このような正方形又はそれに近い形状のものは従来なかったので、本考案に係る手帳カバーは、上記Ｌ字型のジッパー封止部と相俟って、ユニークな形状のものとして受け入れられ、需要者の購買意欲をそそるものである。
【００１３】
従来のコの字型ジッパー封止タイプの場合は、収納する小物が多くなって厚みが出てくると、手帳が膨れ上がった状態（中身がパンパンな状態）となって、ジッパーの開閉操作が容易ではなくなり、場合によっては完全に封止することができなくなる。これに対して本考案に係る手帳カバーの場合は、ジッパー封止部がＬ字型であって、上辺を閉める必要がないためある程度無理が利き、ジッパーの開閉操作は容易である。また、従来のコの字型ジッパー封止タイプの場合は、少なくとも上辺を開けないと収納物を取り出すことができないので、その分取り出しに時間と手間がかかるが、本考案に係る手帳カバーの場合、上辺は常時開放されているので、必要時に収納物を即座に取り出すことが可能である。
【産業上の利用可能性】
【００１４】
本考案に係る手帳カバーは上記構成であって、ジッパー封止部がＬ字型であって上辺が常時開放されているので、多くの小物を収納でき、ジッパーの開閉操作も容易であり、且つ、収納物の取り出しに手間がかからないという利点があり、更に、正方形又はそれに近い形状のものとした場合は、ジッパー封止部がＬ字型であることと相俟って、ユニークな形状のものとして受け入れられ、需要者の購買意欲をそそるものであり、その産業上の利用可能性は大である。
【符号の説明】
【００１５】
１    表面部
２    裏面部
３    背部
４    バインダー部
５    リング状綴具
６    側部封止部
７    底部封止部
８    リフィル
９    筆記具
１０    カード差し込み部
１１    筆記具受け輪
【図１】
0003218132.tif 000003
【図２】
0003218132.tif 000004
【図３】
0003218132.tif 000005